(57)【要約】      （修正有）【課題】ユーザの創造性を養うことが可能なジグソーパズルを提供する。【解決手段】複数のパズルピース１０を組み立ておよび分解が可能なジグソーパズルであって、複数のパズルピース１０それぞれは、互いに接続可能な同一の形状を有し、複数のパズルピース１０のそれぞれの表面には絵柄３０が設けられている。複数のパズルピース１０は、複数の配置順で組み立てられて複数の組立体６０を構成することが可能である。絵柄３０は、複数の組立体６０それぞれに、異なる架空の地域の状態を表示する地図を形成する。複数の組立体６０は、パズルピース１０を追加して接続することが可能であり、地図は、複数の組立体６０にパズルピース１０を追加して接続するたびに、表示する地域の範囲を拡大するように構成される。【選択図】図３
0003213794.tif 000002
【実用新案登録請求の範囲】
【請求項１】
複数のパズルピースを組み立ておよび分解が可能なジグソーパズルであって、
前記複数のパズルピースそれぞれは、互いに接続可能な同一の形状を有し、
前記複数のパズルピースのそれぞれの表面には絵柄が設けられており、
前記複数のパズルピースは、複数の配置順で組み立てられて複数の組立体を構成することが可能であり、
前記絵柄は、前記複数の組立体それぞれに、異なる架空の地域の状態を表示する地図を形成し、
前記複数の組立体は、パズルピースを追加して接続することが可能であり、
前記地図は、前記複数の組立体にパズルピースを追加して接続するたびに、表示する地域の範囲を拡大するように構成されることを特徴とするジグソーパズル。
【請求項２】
複数のパズルピースを組み立ておよび分解が可能なジグソーパズルであって、
前記複数のパズルピースそれぞれは、互いに接続可能な同一の形状を有し、
前記複数のパズルピースのそれぞれの表面には絵柄が表示されており、
前記絵柄は、前記複数のパズルピースが第１の配置順で組み立てられたとき、第１の架空の地域の状態を表示する地図を構成し、前記複数のパズルピースが第１の配置順とは異なる配置順で組み立てられたとき、架空の地域の状態を表示する別の地図を構成し、
前記地図は、パズルピースが追加して接続されるたびに、表示する地域の範囲を拡大するように構成されることを特徴とするジグソーパズル。
【請求項３】
前記地図は、地域の風景または地域の街並みを表示することを特徴とする請求項１または２に記載のジグソーパズル。
【請求項４】
前記複数のパズルピースは、草、花、樹木、土、壁、路面、水面、レール、橋、トンネル、建物、港湾および空港のいずれかの絵柄が表示されたパズルピースから選択された５種類以上のパズルピースを含むことを特徴とする請求項１から３のいずれかに記載のジグソーパズル。
【請求項５】
前記複数のパズルピースは、同じ絵柄が設けられた３以上のパズルピースを含むことを特徴とする請求項１から４のいずれかに記載のジグソーパズル。
【請求項６】
複数のパズルピースを組み立ておよび分解が可能なジグソーパズルであって、
前記複数のパズルピースそれぞれは、互いに接続可能な同一の形状を有し、
前記複数のパズルピースのそれぞれの表面には絵柄が表示されており、
前記絵柄は、前記複数のパズルピースが正しく組み立てられた状態で予定されたものとは異なる創作画を構成し、
前記創作画は、パズルピースが追加して接続されるたびに、画の表現範囲を拡大するように構成されることを特徴とするジグソーパズル。
【考案の詳細な説明】
【技術分野】
【０００１】
本考案は、組み立て・分解が可能なジグソーパズルに関する。
【背景技術】
【０００２】
一枚の絵を幾つかの小片に分解して、分解した小片を再び組み立てるジグソーパズルが知られている。本出願人は、例えば、特許文献１において、ジグソーパズルとその製造方法を開示している。特許文献１のジグソーパズルは、長方形の平板型の多数のピースからなり、一旦バラバラに分離したピースを、嵌め合わせてその模様を復元することにより、楽しむように構成されている。
【先行技術文献】
【特許文献】
【０００３】
【特許文献１】特開２０１２−２４９８５１号公報
【考案の概要】
【考案が解決しようとする課題】
【０００４】
本考案者らはジグソーパズルについて以下のような認識を得た。
ジグソーパズルの各ピースは、その周辺に設けられた凸部または凹部により隣り合うピースとかみ合うようになっている。ジグソーパズルのピースは、よく似た形状であるがそれぞれ少しずつ異なる形状を有しており、全く同じ形をしたピースは含まないように構成されている。このようなジグソーパズルは、ピース表面の図柄とピースの形状とを手がかりにして組み立てることによって、ユーザに知的な満足感を与える特性を有する。
【０００５】
本考案者らは、ジグソーパズルのこの特性を利用して、幼児など低年齢のユーザの創造性を養うことを検討した。しかし、ジグソーパズルは、正しく組立されると、一つの予定された形状になり、その表面には予め設定された一定の図柄が現れるように構成されている。このため一度組立てが完了すると、ユーザの興味は薄れ、必ずしも創造性の育成に寄与できていないとの認識を得た。
これらから、本考案者らは、ジグソーパズルには、ユーザの創造性を養う観点で改善すべき課題があることを認識した。
【０００６】
本考案は、こうした状況に鑑みてなされたものであり、その目的は、ユーザの創造性を養うことが可能なジグソーパズルを提供することにある。
【課題を解決するための手段】
【０００７】
上記課題を解決するために、本考案のある態様のジグソーパズルは、複数のパズルピースを組み立ておよび分解が可能なジグソーパズルであって、複数のパズルピースそれぞれは、互いに接続可能な同一の形状を有し、複数のパズルピースのそれぞれの表面には絵柄が設けられており、複数のパズルピースは、複数の配置順で組み立てられて複数の組立体を構成することが可能であり、絵柄は、複数の組立体それぞれに、異なる架空の地域の状態を表示する地図を形成し、複数の組立体は、パズルピースを追加して接続することが可能であり、地図は、複数の組立体にパズルピースを追加して接続するたびに、表示する地域の範囲を拡大する。
【０００８】
本考案の別の態様もジグソーパズルである。このジグソーパズルは、複数のパズルピースを組み立ておよび分解が可能なジグソーパズルであって、複数のパズルピースそれぞれは、互いに接続可能な同一の形状を有し、複数のパズルピースのそれぞれの表面には絵柄が表示されており、絵柄は、複数のパズルピースが第１の配置順で組み立てられたとき、第１の架空の地域の状態を表示する地図を構成し、複数のパズルピースが第１の配置順とは異なる配置順で組み立てられたとき、架空の地域の状態を表示する別の地図を構成し、地図は、パズルピースが追加して接続されるたびに、表示する地域の範囲を拡大するように構成される。
【０００９】
本考案のさらに別の態様もジグソーパズルである。このジグソーパズルは、複数のパズルピースを組み立ておよび分解が可能なジグソーパズルであって、複数のパズルピースそれぞれは、互いに接続可能な同一の形状を有し、複数のパズルピースのそれぞれの表面には絵柄が表示されており、絵柄は、複数のパズルピースが正しく組み立てられた状態で予定されたものとは異なる創作画を構成し、創作画は、パズルピースが追加して接続されるたびに、画の表現範囲を拡大するように構成される。
【００１０】
なお、以上の構成要素の任意の組み合わせや本考案の構成要素や表現を、装置、システムなどの間で相互に置換したものもまた、本考案の態様として有効である。
【考案の効果】
【００１１】
本考案によれば、ユーザの創造性を養うことが可能なジグソーパズルを提供することができる。
【図面の簡単な説明】
【００１２】
【図１】実施の形態に係るジグソーパズルの平面図である。
【図２】図１のジグソーパズルに含まれるパズルピースの平面図である。
【図３】図１のジグソーパズルを第１の配置順で組み立てた状態の一例を示す平面図である。
【図４】図１のジグソーパズルを第２の配置順で組み立てた状態の一例を示す平面図である。
【図５】図３のジグソーパズルにパズルピースを追加して接続した状態を示す平面図である。
【００１３】
本考案者らは、ジグソーパズルの特性を利用して、幼児など低年齢のユーザの創造性を高める観点で研究した。正しく組立されると予定された形状になる一定の完成形を目指すパズルでは、答えは一通りしかない。このため、ユーザは既成の世界観の中に制限されることになり創造性を十分に養えるとはいえない。創造性を養うためには、既成の世界観に制限されないように一定の完成形を定めず、答えが幾通りもあり、ユーザ自身が世界観を創造可能なパズルが望ましい。
【００１４】
そこで、本考案者らは、地域の世界観を地図として自ら創造可能なジグソーパズルを案出した。このパズルでは、組立の自由度を確保するために、実質的に同一形状の複数のパズルピースから構成されている。組み立てと分解を可能にするために、各パズルピースは、互いに接続可能な係合部を有している。各パズルピースには、地域の地図を表現する要素となる絵柄が設けられている。この絵柄は、例えば草、花、樹木、土、壁、路面、水面、レール、橋、トンネル、建物、港、空港などの地図を表現する要素である。
【００１５】
このジグソーパズルでは、絵柄が描かれた各パズルピースを異なる配置順で組み立てたときに、それぞれ異なる架空の地域を示す地図を作成することができる。また、このパズルには完成した形がなく、組み立てられて一応の地域の地図が表現されたパズルに、追加のピースを接続することができる。追加のピースを接続するたびに地図に表現される地域の範囲が拡大していく。このパズルでは、一定の完成形が定められていないので、ユーザ自身の世界観を具現化する地図を創造していくことができる。また、多数の答えがあるから、組立後に分解し、新たな発想に基づいて異なる地図を構築することができる。このような特性により、このパズルはユーザの創造性を養うために利用することができる。
【００１６】
実施の形態に係るジグソーパズルは、これらの思索に基づいて案出されたものであり、以下にその具体的な構成を説明する。
【００１７】
以下、本考案を好適な実施の形態をもとに各図面を参照しながら説明する。各実施の形態、比較例および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１８】
［実施の形態］
図面を参照して実施の形態に係るジグソーパズル１００の構成について説明する。図１は、実施の形態に係るジグソーパズル１００の平面図である。以下、ＸＹＺ直交座標系をもとに説明する。Ｘ軸方向は図面上において左右方向に対応し、Ｙ軸方向は図面上において上下方向に対応し、Ｚ軸方向は厚み方向に対応する。Ｙ軸方向、Ｚ軸方向はそれぞれＸ軸方向に直交する。このような方向の表記はジグソーパズル１００の使用姿勢を制限するものではなく、ジグソーパズル１００は任意の姿勢で使用されうる。
【００１９】
ジグソーパズル１００は、組み立ておよび分解が可能なジグソーパズルである。ジグソーパズル１００は、複数のパズルピース１０を備える。図２は、パズルピース１０の平面図である。複数のパズルピース１０それぞれは、互いに接続可能な同一の形状を有する。パズルピース１０それぞれは、互いに接続可能な係合部２０を有している。パズルピース１０それぞれは、係合部２０がない場合の平面視の輪郭（以下、基本形状という）が四辺形である。
【００２０】
パズルピース１０それぞれは、係合部２０が設けられる４つの側縁１４ａ、１４ｂ、１４ｃ、１４ｄを有する。図２の例では、パズルピース１０それぞれ基本形状は四角形であり、側縁１４ａ、１４ｂ、１４ｃ、１４ｄは、この四角形の各辺に対応している。
【００２１】
側縁１４ａ、１４ｃはＸ軸方向に離れて配置されＹ軸方向に伸びる側縁である。側縁１４ｂ、１４ｄはＹ軸方向に離れて配置されＸ軸方向に伸びる側縁である。側縁１４ａ、１４ｂは交わって頂点１４ｆを形成する。側縁１４ｂ、１４ｃは交わって頂点１４ｅを形成する。側縁１４ｃ、１４ｄは交わって頂点１４ｈを形成する。側縁１４ｄ、１４ａは交わって頂点１４ｇを形成する。頂点１４ｅ、１４ｆ、１４ｇ、１４ｈの内角は９０°に設定されている。
【００２２】
係合部２０は側縁１４ａ、１４ｂ、１４ｃ、１４ｄそれぞれに設けられている。側縁１４ｂ、１４ｃには凸型係合部２０ｂ、２０ｃが設けられ、側縁１４ａ、１４ｄには凹型係合部２０ａ、２０ｄが設けられている。係合部２０は側縁１４ａ〜１４ｃの延在方向の略中央に位置している。凸型係合部２０ｂ、２０ｃは、平面視で、側縁１４ｂ、１４ｃから外方に突出しており、先側が略楕円形状を有し、根元部はくびれた形状を有している。
【００２３】
凹型係合部２０ａ、２０ｄは、平面視で、側縁１４ａ、１４ｄから内方に窪んだ形状を有している。凹型係合部２０ａ、２０ｄは、凸型係合部２０ｂ、２０ｃと嵌合可能な湾曲形状を有している。凹型係合部２０ａ、２０ｄの内形寸法と凸型係合部２０ｂ、２０ｃの外径寸法が同一に設定されている。側縁１４ｂの凸型係合部２０ｂと、側縁１４ｄの凹型係合部２０ｄと、はＸ軸方向において実質的に同じ位置に設けられる。側縁１４ｃの凸型係合部２０ｃと、側縁１４ａの凹型係合部２０ａと、はＹ軸方向において実質的に同じ位置に設けられる。なお、本明細書において「実質的に同じ位置」というときは、目視において同じ位置と認識できる程度の同一性を有する形状をいい、製造誤差や計測の誤差による相違は考慮しないものとする。
【００２４】
複数のパズルピース１０それぞれは、種々の公知材料で形成することができる。本例では、パズルピース１０は、発泡性のエラストマーなどの樹脂で形成されている。このように形成されることにより、パズルピースの側面は、パズルピースが非係合状態から係合状態に変化するときに収縮する。係合状態で側面が収縮するので、側面間に反発力が発生してその間の摩擦力を大きくすることができる。これにより、パズルピース同士が係合した状態を自己保持することができる。
【００２５】
図１に示すように、複数のパズルピース１０それぞれの表面には絵柄３０が設けられている。絵柄３０は、パズルピース１０のベース樹脂に直接印刷してもよく、絵柄を印刷した樹脂フィルムをベース樹脂に貼付けて設けてもよい。
【００２６】
絵柄３０は、架空の地域の状態を表示する地図を形成するための要素としてのイラストである。絵柄３０は、共通のテーマに関連する内容を示すイラストであってもよい。絵柄３０は、一例として、草、花、樹木、土、壁、路面、水面、レール、橋（不図示）、トンネル（不図示）、建物（不図示）、港湾（不図示）、空港（不図示）などを示すイラストであってもよい。これらのイラストは、地域の状態を表示する要素として共通のテーマに関連している。つまり、複数のパズルピース１０は、これらのイラストが表示されたパズルピースから構成されている。複数のパズルピース１０は、同一の絵柄３０が表示されるパズルピースを複数含んでいる。
【００２７】
充実した地図を形成可能にしてユーザの満足感を高める観点から、複数のパズルピースに含まれる絵柄の種類は多いことが望ましい。そこで、複数のパズルピース１０は、草、花、樹木、土、壁、路面、水面、レール、橋、トンネル、建物、港湾および空港のいずれかの絵柄が表示されたパズルピースから選択された５種類以上のパズルピースを含んでいる。この場合、実用的なレベルでユーザに満足感を与えられることが確認されている。より充実した地図を形成可能とする観点から、複数のパズルピース１０が、上述のパズルピースから選択された７種類以上のパズルピースを含むことがより好ましく、９種類以上のパズルピースを含むことがさらに好ましい。絵柄の種類が多すぎると、生産管理や在庫管理の手間が増えて製造原価が上昇するおそれがある。そこで、本例では、複数のパズルピース１０に含む絵柄の種類は１００以下にしている。
【００２８】
図１の複数のパズルピース１０に含まれるパズルピースの絵柄３０を説明する。パズルピース１０ｂには、淡い色彩の花の絵柄３０が設けられている。このピースは、例えば花園を表現することができる。パズルピース１０ｃには、濃い色彩の花の絵柄３０が設けられている。このピースは、例えば花園を表現することができる。パズルピース１０ｄには、１本の樹木の絵柄３０が設けられている。このピースは、例えば立木を表現することができる。
【００２９】
パズルピース１０ｅには、多数の樹木の葉が茂った様子の絵柄３０が設けられている。このピースは、例えば林や森を表現することができる。パズルピース１０ｆには、石で築かれた壁の絵柄３０が設けられている。このピースは、例えば城壁、法面、石造りの塀などを表現することができる。パズルピース１０ｇには、１軒の家屋の絵柄３０が設けられている。このピースは、例えば自宅、ふるさとの家などの各種の建物を表現することができる。
【００３０】
パズルピース１０ｈには、淡い色彩の水面の絵柄３０が設けられている。このピースは、例えば池、河川、海面など浅い水面を表現することができる。パズルピース１０ｊには、深い色彩の水面の絵柄３０が設けられている。このピースは、例えば池、河川、海面など深い水面を表現することができる。パズルピース１０ｋには、多数の草の絵柄３０が設けられている。このピースは、例えば草原、農地、庭などを表現することができる。
【００３１】
パズルピース１０ｍには、土の表面の絵柄３０が設けられている。このピースは、例えば空き地、庭などを表現することができる。パズルピース１０ｎには、路面の絵柄３０が設けられている。このピースは、例えば舗装道路を表現することができる。パズルピース１０ｐには、別の路面の絵柄３０が設けられている。このピースは、例えば紙面上で上下に伸びる舗装道路を表現することができる。
【００３２】
パズルピース１０ｑには、さらに別の路面の絵柄３０が設けられている。このピースは、例えば紙面上で左右に伸びる舗装道路を表現することができる。パズルピース１０ｓ１〜１０ｓ４には、レールの絵柄３０が設けられている。このピースは、例えばカーブする鉄道線路を表現することができる。パズルピース１０ｓ１〜１０ｓ４を総括するときはパズルピース１０ｓと表記する。パズルピース１０ｕには、別のレールの絵柄３０が設けられている。このピースは、例えば紙面上で左右に伸びる鉄道線路を表現することができる。パズルピース１０ｖには、さらに別のレールの絵柄３０が設けられている。このピースは、例えば紙面上で上下に伸びる鉄道線路を表現することができる。
【００３３】
地図を形成する場合、道路や鉄道などは長く伸ばせることが望ましい。そこで、複数のパズルピース１０は、同じ絵柄３０が設けられた３以上のパズルピースを含んでいる。図３の例では、複数のパズルピース１０は、家屋、花、樹木、レール、草、土、壁、道路および水面の各絵柄について、同一の絵柄を表示する４つのパズルピースを含んでいる。
【００３４】
図３は、ジグソーパズル１００を第１の配置順で組み立てた状態の組立体６０の一例を示す平面図である。組立体６０は、ジグソーパズル１００の複数のパズルピース１０の一部または全部を組立てたものである。図３の例では、組立体６０は、パズルピース１０ｂ、１０ｃ、１０ｄ、１０ｅ、１０ｆ、１０ｇ、１０ｈ、１０ｋ、１０ｍ、１０ｕ、１０ｖおよび１０ｓをそれぞれ１つまたは複数用いて組み立てられている。このように組み立てられることにより、組立体６０には、絵柄３０の組合せにより架空の地域の状態を表示する地図７０が形成される。地図７０は、その架空の地域の風景または地域の街並みを表示することができる。つまり、ユーザは、自身の発想に基づいた第１の配置順によりパズルピースを組立てることにより、架空の地域の風景または地域の街並みを表示する地図７０を実現することができる。
【００３５】
図４は、ジグソーパズル１００を第２の配置順で組み立てた状態の組立体６２の一例を示す平面図である。組立体６２は、ジグソーパズル１００の複数のパズルピース１０の一部または全部を組立てたものである。図４の例では、組立体６０は、パズルピース１０ｃ、１０ｄ、１０ｅ、１０ｆ、１０ｇ、１０ｈ、１０ｋ、１０ｎ、１０ｐ、１０ｑ、１０ｕ、１０ｖおよび１０ｓ１をそれぞれ１つまたは複数用いて組み立てられている。
【００３６】
組立体６２には、絵柄３０の組合せにより架空の地域の状態を表示する地図７２が形成される。地図７２は、地図７０と異なり、道路の両側に樹木や花に囲まれた家屋が建てられ、近くに川が流れ、鉄道線路が設けられた街並みを表現している。つまり、ユーザは、自身の別の発想に基づいた第２の配置順によりパズルピースを組立てることにより、別の架空の地域の風景または地域の街並みを表示する地図７２を実現することができる。
【００３７】
このように、複数のパズルピース１０は、第１および第２の配置順で組み立てられて複数の組立体６０、６２を構成することが可能である。絵柄３０は、その組合せにより、複数の組立体６０、６２それぞれに、異なる架空の地域の状態を表示する地図７０、７２を形成する。ここでは二つの配置順について説明したが、ユーザの発想に基づき多数の配置順によりパズルピースを組立てることにより、多数の地図を実現することができる。
【００３８】
複数の組立体６０、６２は、パズルピースを追加して接続することが可能である。図５は、組立体６０に複数のパズルピース１０ｘを追加して接続した状態の組立体６４を示す平面図である。図５の例では、複数のパズルピース１０ｘは、パズルピース１０ｈ、１０ｊ、１０ｎ、１０ｐおよび１０ｑをそれぞれ１つまたは複数含んでいる。組立体６４には、追加して接続された絵柄３０の組合せにより架空の地域の状態を表示する地図７４が形成される。地図７４は、地図７０に表現される風景の周囲を海と道路に囲まれた様子を表現している。つまり、地図７４は地図７０に対して表示される地域の範囲が拡大されている。さらに組立体６４にパズルピースを追加して接続することにより地図に表示する地域の範囲を拡大するように構成される。つまり、地図７０，７２は、複数の組立体６０、６２にパズルピースを追加して接続するたびに、表示する地域の範囲を拡大するように構成される。
【００３９】
次に、このように構成された本考案の実施の形態に係るジグソーパズル１００の作用・効果を説明する。
【００４０】
実施の形態に係るジグソーパズル１００は、複数のパズルピース１０を組み立ておよび分解が可能なジグソーパズルであって、複数のパズルピース１０それぞれは、互いに接続可能な同一の形状を有し、複数のパズルピース１０のそれぞれの表面には絵柄３０が設けられており、複数のパズルピース１０は、複数の配置順で組み立てられて複数の組立体６０、６２を構成することが可能であり、絵柄３０は、複数の組立体６０、６２それぞれに、異なる架空の地域の状態を表示する地図７０、７２を形成し、複数の組立体６０は、パズルピースを追加して接続することが可能であり、地図７０、７２は、複数の組立体６０、６２にパズルピースを追加して接続するたびに、表示する地域の範囲を拡大するように構成される。この構成によれば、複数の配置順で組み立てることができない場合に比べて、多様な配置順で有意な地図を創作することが可能である。ユーザの組立自由度を向上してユーザの満足感を高めることができる。
【００４１】
実施の形態に係るジグソーパズル１００は、複数のパズルピース１０を組み立ておよび分解が可能なジグソーパズルであって、複数のパズルピース１０それぞれは、互いに接続可能な同一の形状を有し、複数のパズルピース１０のそれぞれの表面には絵柄３０が表示されており、絵柄３０は、複数のパズルピース１０が第１の配置順で組み立てられたとき、第１の架空の地域の状態を表示する地図７０を構成し、複数のパズルピース１０が第１の配置順とは異なる配置順で組み立てられたとき、架空の地域の状態を表示する別の地図７２を構成し、地図７０は、パズルピースが追加して接続されるたびに、表示する地域の範囲を拡大するように構成される。この構成によれば、第１の配置順とは異なる配置順で組み立てることができない場合に比べて、多様な配置順で有意な地図を創作することが可能である。ユーザの組立自由度を向上してユーザの満足感を高めることができる。
【００４２】
実施の形態に係るジグソーパズル１００では、地図７０は、地域の風景または地域の街並みを表示している。この構成によれば、記号や等高線により表示される地図と比べて、低年齢のユーザが受入れやすい。
【００４３】
実施の形態に係るジグソーパズル１００では、複数のパズルピース１０は、草、花、樹木、土、壁、路面、水面、レール、橋、トンネル、建物、港湾および空港のいずれかの絵柄３０が表示されたパズルピースから選択された５種類以上のパズルピースを含んでいる。この構成によれば、絵柄の種類の少ない場合と比べて、充実した地図を形成することができる。
【００４４】
実施の形態に係るジグソーパズル１００では、複数のパズルピース１０は、同じ絵柄３０が設けられた３以上のパズルピースを含んでいる。この構成によれば、同じ絵柄のパズルピースの数が少ない場合と比べて、充実した地図を形成することができる。
【００４５】
実施の形態に係るジグソーパズル１００は、複数のパズルピース１０を組み立ておよび分解が可能なジグソーパズルであって、複数のパズルピース１０それぞれは、互いに接続可能な同一の形状を有し、複数のパズルピース１０のそれぞれの表面には絵柄３０が表示されており、絵柄３０は、複数のパズルピース１０が正しく組み立てられた状態で予定されたものとは異なる創作画を構成し、創作画は、パズルピースが追加して接続されるたびに、画の表現範囲を拡大するように構成される。この構成によれば、予定された画を構成する場合と比べて、多様な創作画を創作することが可能である。パズルピースの追加ができない場合に比べて、ユーザの遊び方の自由度を向上してユーザの満足感を高めることができる。
【００４６】
以上、本考案の実施の形態をもとに説明した。これらの実施の形態は例示であり、いろいろな変形および変更が本考案の実用新案登録請求の範囲内で可能なこと、またそうした変形例および変更も本考案の実用新案登録請求の範囲にあることは当業者に理解されるところである。従って、本明細書での記述および図面は限定的ではなく例証的に扱われるべきものである。
【符号の説明】
【００４７】
１０・・複数のパズルピース、  ２０・・係合部、  ３０・・絵柄、  ６０・・組立体、  ６２・・組立体、  ６４・・組立体、  ７０・・地図、  ７２・・地図、  ７４・・地図、  １００・・ジグソーパズル。
【図１】
0003213794.tif 000003
【図２】
0003213794.tif 000004
【図３】
0003213794.tif 000005
【図４】
0003213794.tif 000006
【図５】
0003213794.tif 000007